(57)【特許請求の範囲】
【請求項１】
ＤＣモータ１２で遠心ファン１１を回転する送風機１と、そのＤＣモータ１２を制御するモータ制御ユニット２を備えた送風装置であって、
前記モータ制御ユニット２は、前記ＤＣモータ１２に所定の値の直流電圧を供給して駆動しているときに、そのＤＣモータ１２の実際のモータ回転速度が設定回転速度以上のときに、前記ＤＣモータ１２に供給する直流電圧の値を増加し、その状態で実際のモータ回転速度が設定回転速度以下のときにＤＣモータ１２に供給する直流電圧を元の値とするようにしたことを特徴とする送風装置。
【請求項２】
前記ＤＣモータ１２に供給する直流電圧の値を増加したときの実際の回転速度よりも、元の値とするときの設定回転速度を遅くした請求項１記載の送風装置。
【請求項３】
ＤＣモータ１２で遠心ファン１１を回転する送風機１と、このＤＣモータ１２を制御するモータ制御ユニット２を備えた送風装置であって、
前記ＤＣモータ１２の実際のモータ回転速度Ｎ０を検出する回転速度検出手段２５を設け、
前記モータ制御ユニット２は、第１の速度指令電圧Ｖ１、第２の速度指令電圧Ｖ２及び、第１の設定回転速度Ｎ１、第２の設定回転速度Ｎ３がそれぞれ設定され、前記第１の速度指令電圧Ｖ１で駆動しているときに、実際のモータ回転速度Ｎ０が第１の設定回転速度Ｎ１以上のときには、前記ＤＣモータ１２に供給する直流電圧値を第１の速度指令電圧Ｖ１から第２の速度指令電圧Ｖ２としてＤＣモータ１２のモータ出力を増大し、前記第２の速度指令電圧Ｖ２で駆動しているときに、実際のモータ回転速度Ｎ０が第２の設定回転速度Ｎ３以下のときには、前記ＤＣモータ１２に供給する直流電圧値を第２の速度指令電圧Ｖ２から第１の速度指令電圧Ｖ１としてＤＣモータ１２のモータ出力を減少するようにしたことを特徴とする送風装置。
【請求項４】
前記第２の速度指令電圧Ｖ２に切り替えた時の実際の回転速度Ｎ２よりも第２の設定回転速度Ｎ３を遅くした請求項３記載の送風装置。
【請求項５】
前記モータ制御ユニット２は、ＤＣモータ１２の駆動コイル１２ａに直流電圧を供給する駆動部２１と、この駆動部２１を制御するモータコントロール部２２と、このモータコントロール部２２に第１の速度指令電圧Ｖ１、第２の速度指令電圧Ｖ２を出力する演算部２３と、この演算部２３に送風機動作指令を出力する操作部２４を備え、
前記演算部２３は、第１の速度指令電圧Ｖ１を出力しているときには、実際のモータ回転速度Ｎ０と第１の設定回転速度Ｎ１を比較し、Ｎ０≧Ｎ１のときに第２の速度指令電圧Ｖ２をモータコントロール部２２に出力し、第２の速度指令電圧Ｖ２を出力しているときには、実際のモータ回転速度Ｎ０と第２の設定回転速度Ｎ３を比較し、Ｎ０≦Ｎ３のときに第１の速度指令電圧Ｖ１をモータコントロール部２２に出力し、
前記モータコントロール部２２は、第１の速度指令電圧Ｖ１が入力されたときには駆動部２１を制御して駆動コイル１２ａに供給する直流電圧の値を第１の速度指令電圧Ｖ１とし、第２の速度指令電圧Ｖ２が入力されたときには駆動部２１を制御して駆動コイル１２ａに供給する直流電圧の値を第２の速度指令電圧Ｖ２とする請求項３又は４記載の送風装置。
【発明の詳細な説明】
【技術分野】
【０００１】
本発明は、建物内を換気する換気装置や、調理時に発生した油煙などを屋外に排気するレンジフードなどに用いる送風装置に関する。
【背景技術】
【０００２】
従来より、建物内の空気を屋外の新鮮な空気と入れ替える換気装置や、調理時に発生した油煙などを屋外に排気するレンジフードは、モータでファンを回転することで空気を吸い込んで吐出する送風装置を用いるのが一般的である。
例えば、送風装置を用いることで建物内の空気を屋外に排気すると共に、屋外の空気を建物内に給気することで建物内を換気したり、送風装置を用いることで調理時に発生した油煙などを捕集して屋外に排気している。
しかしながら、近年の建築事情の変化により前記送風装置を用いた換気装置、レンジフードにおいては、次のような問題が発生していた。
【０００３】
建物内の空気を排気する際に、外風（屋外の風）の影響を受けやすい高層の建物の普及や、高気密化住宅などの排気、給気の際の圧力損失が大きな空気流通経路（排気経路、給気経路）を持つ建物が登場してきたことで、近年では、外風による排気抵抗が大きく異なる建物や、空気流通経路の圧力損失が大きく異なる建物が混在する状況となっている。
このため、外風による排気抵抗が大きい建物、空気流通経路の圧力損失が大きい建物でも目標とする風量を確保できるように送風装置を設計すると、外風による排気抵抗が小さい建物、空気流通経路の圧力損失が小さい建物に、前記送風装置を設置した際には、風量が目標値以上に多く、エネルギーを無駄に消費してしまう。また、そのために送風装置の運転音が大きいなどの問題が生じている。
【０００４】
すなわち、送風機の風量は、Ｐ−Ｑ曲線（静圧−風量曲線）に沿って静圧の大きさに従って変化するので、排気抵抗が大、圧力損失が大でも目標とする風量が得られるＰ−Ｑ曲線を有した送風機とすると、静圧が小さいときの風量が目標値以上に多く、エネルギー（電力）を無駄に消費してしまうと共に、運転音が大きくなってしまう。
【０００５】
そこで、モータに通電する電流値や回転数を検出し、その検出されたデータを基に風量を推定し、設置現場（外風による排気抵抗、空気流通経路の圧力損失等）が異なっても目標の風量が確保できるように、モータに指令を送る送風装置が提案されている。例えば特許文献１に記載の送風装置が提案されている。
【先行技術文献】
【特許文献】
【０００６】
【特許文献１】特開２００１−１９３６８８号公報
【発明の概要】
【発明が解決しようとする課題】
【０００７】
しかしながら、前述した特許文献１に開示された送風装置は、風量が変化した際に適切な指令をモータに送るため、予め風量に応じたＩ／Ｎ線（風量ごとの電流値と回転数の関係）を記憶しておく必要があるなど、大掛かりなものであり、製造コストが高くなるといった問題点がある。
しかも、電流値センサが必要であり、その分高価なものとなってしまう。
【０００８】
本発明は、前述の課題を解決するためになされたもので、その目的は、空気流通経路の圧力損失の異なる建物や、外風による排気抵抗が異なる建物に設置しても、目標の風量を確保でき、かつ風量の出しすぎによる無駄なエネルギーの消費や、運転音の増大を防ぐことができ、しかも簡易で製造コストが安い送風装置を提供することである。
【課題を解決するための手段】
【０００９】
第１の発明は、ＤＣモータ１２で遠心ファン１１を回転する送風機１と、そのＤＣモータ１２を制御するモータ制御ユニット２を備えた送風装置であって、
前記モータ制御ユニット２は、前記ＤＣモータ１２に所定の値の直流電圧を供給して駆動しているときに、そのＤＣモータ１２の実際のモータ回転速度が設定回転速度以上のときに、前記ＤＣモータ１２に供給する直流電圧の値を増加し、その状態で実際のモータ回転速度が設定回転速度以下のときにＤＣモータ１２に供給する直流電圧を元の値とするようにしたことを特徴とする送風装置である。
【００１０】
第１の発明においては、前記ＤＣモータ１２に供給する直流電圧の値を増加したときの実際の回転速度よりも、元の値とするときの設定回転速度を遅くすることができる。
【００１１】
このようにすれば、増加した値の直流電圧で駆動している状態で、静圧の変化が僅かなときのＤＣモータ１２の実際のモータ回転速度の変化ではＤＣモータ１２に供給する直流電圧の値が変化しないようにできるので、送風機の運転の切り替えが頻繁にならないから、使用者に不快感を与えることがない。
【００１２】
第２の発明は、ＤＣモータ１２で遠心ファン１１を回転する送風機１と、このＤＣモータ１２を制御するモータ制御ユニット２を備えた送風装置であって、
前記ＤＣモータ１２の実際のモータ回転速度Ｎ０を検出する回転速度検出手段２５を設け、
前記モータ制御ユニット２は、第１の速度指令電圧Ｖ１、第２の速度指令電圧Ｖ２及び、第１の設定回転速度Ｎ１、第２の設定回転速度Ｎ３がそれぞれ設定され、前記第１の速度指令電圧Ｖ１で駆動しているときに、実際のモータ回転速度Ｎ０が第１の設定回転速度Ｎ１以上のときには、前記ＤＣモータ１２に供給する直流電圧値を第１の速度指令電圧Ｖ１から第２の速度指令電圧Ｖ２としてＤＣモータ１２のモータ出力を増大し、前記第２の速度指令電圧Ｖ２で駆動しているときに、実際のモータ回転速度Ｎ０が第２の設定回転速度Ｎ３以下のときには、前記ＤＣモータ１２に供給する直流電圧値を第２の速度指令電圧Ｖ２から第１の速度指令電圧Ｖ１としてＤＣモータ１２のモータ出力を減少するようにしたことを特徴とする送風装置である。
【００１３】
第２の発明においては、前記第２の速度指令電圧Ｖ２に切替えた時の実際の回転速度よりも第２の設定回転速度Ｎ３を遅くすることができる。
【００１４】
このようにすれば、第２の速度指令電圧Ｖ２で駆動している状態で、静圧の変化が僅かでＤＣモータ１２の実際の回転速度Ｎ０の変化が切り替えた時の実際の回転速度Ｎ２と第２の設定回転速度Ｎ３の差の範囲内のときには、速度指令電圧は変化しないので、送風機の運転の切り替えが頻繁にならないから、使用者に不快感を与えることがない。
【００１５】
第２の発明においては、前記モータ制御ユニット２は、ＤＣモータ１２の駆動コイル１２ａに直流電圧を供給する駆動部２１と、この駆動部２１を制御するモータコントロール部２２と、このモータコントロール部２２に第１の速度指令電圧Ｖ１、第２の速度指令電圧Ｖ２を出力する演算部２３と、この演算部２３に送風機動作指令を出力する操作部２４を備え、
前記演算部２３は、第１の速度指令電圧Ｖ１を出力しているときには、実際のモータ回転速度Ｎ０と第１の設定回転速度Ｎ１を比較し、Ｎ０≧Ｎ１のときに第２の速度指令電圧Ｖ２をモータコントロール部２２に出力し、第２の速度指令電圧Ｖ２を出力しているときには、実際のモータ回転速度Ｎ０と第２の設定回転速度Ｎ３を比較し、Ｎ０≦Ｎ３のときに第１の速度指令電圧Ｖ１をモータコントロール部２２に出力し、
前記モータコントロール部２２は、第１の速度指令電圧Ｖ１が入力されたときには駆動部２１を制御して駆動コイル１２ａに供給する直流電圧の値を第１の速度指令電圧Ｖ１とし、第２の速度指令電圧Ｖ２が入力されたときには駆動部２１を制御して駆動コイル１２ａに供給する直流電圧の値を第２の速度指令電圧Ｖ２とするようにできる。
【発明の効果】
【００１６】
第１・第２の発明によれば、静圧が大きくなって風量が減じ、モータ回転速度が上がったときには、ＤＣモータ１２に供給する直流電圧の値が増加してモータ出力が増大するので、風量が増え、目標の風量が得られる。
したがって、空気流通経路の圧力損失の異なる建物や、外風による排気抵抗が異なる建物に設置しても、目標の風量を確保できる。
【００１７】
前述のようにモータ出力が増大した状態で、静圧が小さくなって風量が増え、モータ回転速度が下がったときには、ＤＣモータ１２に供給する直流電圧の値を減少して元の値とし、モータ出力を元の大きさとするので、風量が減じ、風量が多くなりすぎることがない。
したがって、風量の出しすぎによる無駄なエネルギーの消費や、運転音の増大を防ぐことができる。
【００１８】
しかも、ＤＣモータ１２の実際のモータ回転速度に応じてＤＣモータ１２に供給する直流電圧の値を変えるだけであるから、簡易で製造コストの安い送風装置とすることができる。
【図面の簡単な説明】
【００１９】
【図１】送風装置の全体説明図である。
【図２】モータ制御ユニットの説明図である。
【図３】静圧−風量曲線と速度曲線を示す図である。
【発明を実施するための形態】
【００２０】
図１に示すように、送風装置は、送風機１とモータ制御ユニット２を備えている。
前記送風機１は、ファンケーシング１０内に設けた遠心ファン１１をＤＣモータ１２で回転駆動することで、ファンケーシング１０の吸込口１３から空気を吸い込み、吐出口１４から吐出する。
前記遠心ファン１１としてはシロッコファンを用い、ＤＣモータ１２としては三相ブラシレスＤＣサーボモータを用いているが、これに限ることはない。
【００２１】
前記送風装置を、次のように用いてレンジフード、換気装置とする。
前記送風機１の吸込口１３をフード内部に連通すると共に、吐出口１４にダクトを接続することで、調理時に発生した油煙などをフード内に捕集し、ダクトを通して屋外に排気するようにしてレンジフードとする。この場合、ダクトが空気流通経路（排気経路）である。
また、送風機１の吸込口１３を建物内に連通し、吐出口１４をダクトで屋外に連通して建物内の空気を屋外に排気する換気装置としたり、送風機１の吸込口１３をダクトで屋外に連通し、吐出口１４を建物内に連通して屋外の空気を建物内に給気する換気装置とする。この場合、ダクトが空気流通経路（排気経路、給気経路）である。
【００２２】
前述の送風装置の送風機１の風量は、その送風機１固有の性能とＤＣモータ１２に供給される直流電圧の値で決定される静圧−風量曲線（以下Ｐ−Ｑ曲線という）に沿って静圧の大きさに従って変化すると共に、ＤＣモータ１２のモータ回転速度も変化する。
具体的には、静圧が大きくなると風量が減り、モータ回転速度は上がる。静圧が小さくなると風量が増え、モータ回転速度は下がる。
前記静圧は、前述の空気流通経路の圧力損失、外風による排気抵抗が大きくなれば大きくなり、小さくなれば小さくなる。
【００２３】
以上のことから、本発明者は、静圧が目標とする風量に見合う静圧よりも大きくなると、風量は目標とする風量よりも減るので、前述したように、空気流通経路の圧力が大きい建物に設置した場合や、外風による排気抵抗が大きくなった場合には、前述の静圧が大きくなって目標の風量が得られない、ことを見出し、本発明に至った。
【００２４】
すなわち、本発明は、モータ制御ユニット２を次のようにした。
モータ制御ユニット２は、前記ＤＣモータ１２に所定の値の直流電圧を供給する。
これによって、送風機１は駆動し、その静圧と風量が所定のＰ−Ｑ曲線に沿って変化する。
このとき、モータ制御ユニット２は、ＤＣモータ１２の実際のモータ回転速度と設定した回転速度を比較している。
この状態で、静圧が大きくなり、そのＤＣモータ１２の実際のモータ回転速度が、設定した回転速度以上のときに、モータ制御ユニット２は、そのＤＣモータ１２に供給する直流電圧の値を増加する。
【００２５】
これにより、ＤＣモータ１２のモータ出力が増大し、静圧と風量の関係は、前述のＰ−Ｑ曲線とは異なるＰ−Ｑ曲線に沿って変化することになり、風量は増え、静圧が大きくとも目標とする風量が得られる。
【００２６】
前述の状態で、静圧が小さくなり、風量が増え、ＤＣモータ１２の実際のモータ回転速度が、設定した回転速度以下になると、ＤＣモータ２１に供給する直流電圧を元の値（設定の値）とする。
【００２７】
これにより、送風機１の静圧と風量は、前述の所定のＰ−Ｑ曲線に沿って変化することになり、静圧が小さくとも風量が減るので、静圧が小さいときに風量を出しすぎることがなく、無駄なエネルギー（電力）の消費や、運転音の増大を防ぐことができる。
しかも、モータ制御ユニット２を、ＤＣモータ１２の実際のモータ回転速度が設定した回転速度以上、以下のときに、ＤＣモータ１２に供給する直流電圧の値を増加、減少するようにしただけであるので、簡易で、製造コストが安い送風装置である。
【００２８】
前述したＤＣモータ１２に供給する直流電圧の値を増加したときの実際の回転速度よりも、直流電圧の値を元の値とするときの設定回転速度を遅くしてある。
これによって、増加した値の直流電圧で駆動している状態で、静圧の変化が僅かなときのＤＣモータ１２の実際のモータ回転速度の変化ではＤＣモータ１２に供給する直流電圧の値が変化しないようにできるので、送風機の運転の切り替え（直流電圧の切り替え）が頻繁にならないから、使用者に不快感を与えることがない。
【００２９】
前記送風機１の静圧がゼロのときの風量は、前述した所定の値の直流電圧を供給しているときが小で、直流電圧の値を増加したときが大である。
これによって、静圧が大きくなったときでも目標の風量を得ることができる。
【００３０】
次に、モータ制御ユニット２の具体例を図２に基づいて説明する。
前記モータ制御ユニット２は、図２に示すように、交流電圧を直流電圧に変換する整流部２０、この直流電圧をＤＣモータ１２の駆動コイル１２ａに供給してＤＣモータ１２を駆動する駆動部２１、この駆動部２１を制御してＤＣモータ１２に供給する直流電圧の値を増減するモータコントロール部２２、このモータコントロール部２２に速度指令電圧を出力する演算部（マイクロコンピュータ）２３、この演算部２３に起動、停止等の送風機動作指令を出力する操作部２４を備えている。
【００３１】
前記ＤＣモータ１２のモータ回転速度を検出する回転速度検出手段２５を備え、その検出したモータ回転速度は、前記モータ制御ユニット２、例えば演算部２３に入力される。
前記回転速度検出手段２５は、ＤＣモータ１２の回転子（電機子）１２ｂの回転を位置検出手段（ホールセンサ）１２ｃで検出することでモータ回転速度を検出するものである。このモータ回転速度は遠心ファン１１の回転速度である。
【００３２】
前記操作部２４を操作して起動信号を演算部２３に出力すると、演算部２３は入力された起動信号によって設定した第１の速度指令電圧Ｖ１をモータコントロール部２２へ出力する。
例えば、前記操作部２４は起動釦２４ａを有し、この起動釦２４ａを操作することで、起動信号を演算部２３に出力する。
前記演算部２３の第１電圧設定部２３ａには、第１の速度指令電圧Ｖ１があらかじめ設定してある。
この第１の速度指令電圧Ｖ１は、送風機１のＰ−Ｑ曲線が、目標とする風量が得られるのに好ましいＰ−Ｑ曲線となるように設定する。
つまり、送風機１のＰ−Ｑ曲線は、送風機１固有の性能と速度指令電圧で決まる。
【００３３】
前記モータコントロール部２２は、入力された第１の速度指令電圧Ｖ１に基づき駆動部２１を制御し、駆動部２１からＤＣモータ１２の駆動コイル１２ａに供給する直流電圧の値を、前記設定した第１の速度指令電圧Ｖ１とし、ＤＣモータ１２を第１の速度指令電圧Ｖ１で駆動する。
【００３４】
これにより、送風機１の風量は、その送風機１固有の性能と設定した第１の速度指令電圧Ｖ１によって決まる第１のＰ−Ｑ曲線に沿って、静圧の大きさに従って変化する。
例えば、図３に示す第１のＰ−Ｑ曲線（ａ）に沿って静圧の大きさに従って風量が変化する。回転速度は図３に示す第１の速度曲線（ｃ）に沿って変化する。
【００３５】
また、送風機１の回転速度は、その送風機１固有の性能と設定した速度指令電圧によって決定される関係に従って静圧の大きさによって変化する。送風機１の回転速度は前述したモータ回転速度である。
以上の説明で、静圧は空気流通経路の圧力損失、外風による排気抵抗の大きさに対応するものである。
【００３６】
前述のように、送風機１を駆動しているときに、排気抵抗が大きくなったり、圧力損失の大きな空気流通経路を有した建物に設置した場合には、静圧Ｐが大きくなり、第１のＰ−Ｑ曲線（ａ）に沿って風量Ｑが減り、回転速度は上がる。
このために、目標とする風量ＱをＱ１とすると、第１のＰ−Ｑ曲線（ａ）のＡ点でマッチングし、静圧Ｐが第１の静圧Ｐ１よりも大きくなると目標とする風量Ｑ１が得られない。
このときの回転速度はＮ１で、第１の設定回転速度Ｎ１として演算部２３の第１回転速度設定部２３ｂに設定する。
【００３７】
前述のように、送風機１の実際のモータ回転速度Ｎ０は前述した回転速度検出手段２５で検出され、その検出した実際のモータ回転速度Ｎ０は演算部２３に入力される。
前記演算部２３は、第１の速度指令電圧Ｖ１を出力していることにより、実際のモータ回転速度Ｎ０と第１の設定回転速度Ｎ１を比較し、実際のモータ回転速度Ｎ０が第１の設定回転速度Ｎ１以上となったときには静圧が第１の静圧Ｐ１以上になったので、演算部２３は、その第２電圧設定部２３ｃに設定された第２の速度指令電圧Ｖ２をモータコントロール部２２に出力する。
第２の速度指令電圧Ｖ２は第１の速度電圧Ｖ１を増加した値（Ｖ１＜Ｖ２）である。
【００３８】
前記モータコントロール部２２は駆動部２１を制御してＤＣモータ１２の駆動コイル１２ａに供給する直流電圧の値を、前記第２の速度指令電圧Ｖ２に切り替える。
これによって、ＤＣモータ１２のモータ出力が増大し、送風機１のＰ−Ｑ曲線は、図３に示すように、第２のＰ−Ｑ曲線（ｂ）になるので、その第２のＰ−Ｑ曲線（ｂ）のＢ点に移り、第１の風量Ｑ２が送風機１の風量となるから、第１の静圧Ｐ１以上のときにも目標の風量Ｑ１（Ｑ１＜Ｑ２）を確保できる。回転速度は図３に示す第２の速度曲線（ｄ）に沿って変化する。
このときのモータ回転速度、つまり第２の速度指令電圧Ｖ２に切り替えた時のモータ回転速度は第１の回転速度Ｎ２である。
【００３９】
このようであるから、静圧Ｐが第１の静圧Ｐ１よりも大きくとも目標とする風量Ｑ１を確保でき、空気流通経路の圧力損失の異なる建物や、外風による御排気抵抗が異なる建物に設置しても、目標の風量を確保できる。
【００４０】
前述のように、送風機１を第２の速度指令電圧Ｖ２で駆動しているときに、外風による排気抵抗が小さくなったり、圧力損失の小さな空気流通経路の建物に設置した場合には、静圧が小さくなって回転速度は下がり、風量が増加する。
そして、静圧Ｐが第１の静圧Ｐ１よりも小さくなって実際の回転速度Ｎ０が前述の第１の回転速度Ｎ２以下となった場合、例えば静圧が第２の静圧Ｐ２（Ｐ１＞Ｐ２）よりも小さくなり、実際の回転速度Ｎ０が前記演算部２３の第２回転速度設定部２３ｄに設定した第２の設定回転速度Ｎ３以下となった場合には、送風機１の風量Ｑは第２のＰ−Ｑ曲線（ｂ）とのマッチング点Ｃに見合う第２の風量Ｑ３となる。
この第２の風量Ｑ３は、前述した目標の風量Ｑ１よりも多く、送風機１は風量を出しすぎで、無駄にエネルギー（電力）を消費すると共に、運転音が増大する。
【００４１】
そこで、本発明は、演算部２３が第２の速度指令電圧Ｖ２を出力しているときに、実際のモータ回転速度Ｎ０が第２の設定回転速度Ｎ３以下となった場合には、演算部２３が第１電圧設定部２３ａに設定した第１の速度指令電圧Ｖ１をモータコントロール部２２に出力する。
前記モータコントロール部２２は駆動部２１を制御し、ＤＣモータ１２の駆動コイル１２ａに第１の速度指令電圧Ｖ１を供給し、ＤＣモータ１２のモータ出力が減少して風量は減少する。例えば、送風機１のＰ−Ｑ曲線を前述の第１のＰ−Ｑ曲線（ａ）とする。
【００４２】
これによって、送風機１の静圧Ｐと風量Ｑは第１のＰ−Ｑ曲線（ａ）とマッチングするＤ点となり、風量Ｑは第３の風量Ｑ４（Ｑ３＞Ｑ４）となると共に、モータ回転速度は第２の回転速度Ｎ４となる。
【００４３】
このようであるから、送風機１は風量を出しすぎることはなく、無駄にエネルギー（電力）を消費することがないと共に、運転音が増大することもない。
【００４４】
前述のように、第２の速度指令電圧Ｖ２に切り替えて速度指令電圧を増加したときの第１のモータ回転速度Ｎ２よりも第２の設定回転速度Ｎ３を遅くしてあるので、排気抵抗、空気流通経路の圧力損失のふらつき（小さな変化）に対しては応答せずに実使用時に少ない変化量で速度指令電圧が目まぐるしく変わることを防ぎ、送風装置の使用者に不快感を与えないようにできる。
すなわち、前述の第１の回転速度Ｎ２と第２の設定回転速度Ｎ３が同じか近い値であると、前述した排気抵抗、圧力損失の少量の変化で実際のモータ回転速度Ｖ０が前述の第２設定回転速度Ｎ３に至ってしまい、そのたびに速度指令電圧を可変させるため、送風機１の運転の切り替えが頻繁に行われ、切り替え時の騒音が出ることにより使用者に不快感を与えるが、本発明のようにすれば、使用者の不快感を解消することができる。
【００４５】
前述のように、第１のＰ−Ｑ曲線（ａ）のときの最大風量（つまり、静圧がゼロのときの風量）Ｑａは、第２のＰ−Ｑ曲線（ｂ）のときの最大風量（つまり、静圧がゼロのときの風量）Ｑｂよりも小である。
このようであるから、静圧が小さいときの風量を減じることができる。
【００４６】
前記送風装置を停止するときには、操作部２４の停止釦２４ｂを操作して演算部２３に停止信号を出力する。
前記演算部２３は停止信号が入力されると、速度指令電圧の出力を中止し、ＤＣモータ１２の駆動コイル１２ａに直流電圧を駆動しないようにして停止する。
【符号の説明】
【００４７】
１…送風機、２…モータ制御ユニット、１１…遠心ファン、１２…ＤＣモータ、１２ａ…駆動コイル、２１…駆動部、２２…モータコントロール部、２３…演算部、２３ａ…第１電圧設定部、２３ｂ…第１回転速度設定部、２３ｃ…第２電圧設定部、２３ｄ…第２回転速度設定部、２４…操作部、２５…回転速度検出手段。
【図１】
0005506096.tif 000002
【図２】
0005506096.tif 000003
【図３】
0005506096.tif 000004